(57)【特許請求の範囲】
【請求項１】
折り畳み式の携帯端末であって、
１個または複数の電話番号が記憶される記憶手段と、前記携帯端末を閉じた状態で前記記憶手段に記憶された電話番号から所定の電話番号を選択する電話番号選択手段と、前記携帯端末を閉じた状態で前記電話番号選択手段で選択された電話番号を表示する電話番号表示手段と、前記携帯端末を閉じた状態で自動発信するモードのオンまたはオフを設定する自動発信設定手段と、前記携帯端末の開閉を検出する開閉検出手段と、前記開閉検出手段により前記携帯端末の開状態が検出されたとき前記電話番号表示手段で選択された電話番号に自動発信し閉状態が検出されたとき通信終了の制御を行う制御手段とを含むことを特徴とする携帯端末。
【請求項２】
前記折り畳み式に代えてフリップ式であることを特徴とする請求項１記載の携帯端末。
【請求項３】
１個または複数の電話番号が記憶される記憶手段と、前記携帯端末を閉じた状態で前記記憶手段に記憶された電話番号から所定の電話番号を選択する電話番号選択手段と、前記携帯端末を閉じた状態で前記電話番号選択手段で選択された電話番号を表示する電話番号表示手段と、前記携帯端末を閉じた状態で自動発信するモードのオンまたはオフを設定する自動発信設定手段と、前記携帯端末の開閉を検出する開閉検出手段と、前記開閉検出手段により前記携帯端末の開状態が検出されたとき前記電話番号表示手段で選択された電話番号に自動発信し閉状態が検出されたとき通信終了の制御を行う制御手段とを含む折り畳み式の携帯端末の発信方法であって、
前記携帯端末の開状態を検出する開状態検出ステップと、開状態が検出された場合に通信可能状態を確立する通信可能状態確立ステップと、前記携帯端末の閉状態を検出する閉状態検出ステップと、閉状態が検出された場合に通信終了の制御を行なう通信終了制御ステップとを含むことを特徴とする発信方法。
【請求項４】
前記折り畳み式に代えてフリップ式であることを特徴とする請求項３記載の発信方法。
【発明の詳細な説明】
【０００１】
【発明の属する技術分野】
本発明は携帯端末およびその発信方法に関し、特に折り畳み式の携帯端末およびその発信方法に関する。
【０００２】
【従来の技術】
近年、携帯電話等の携帯端末を使用する人が増え、例えば高齢者にも携帯電話を持たせるための工夫がなされている。その中で、折り畳み携帯電話の特徴である開閉の動作を利用して、電話機本体が開状態になったことを検出して特定の相手の電話番号に自動発信する技術の一例が特開２０００−９９２７号公報に開示されている。
【０００３】
この技術は、折り畳み携帯電話に関するもので、電話機本体が折り畳まれた状態で外部から視認が可能となるよう多色発光ダイオードが設けられており、そのダイオードは相手先電話番号に応じて異なる色に発光する。そして、電話機本体の開動作とともに予め選択された発光色の電話番号へ自動的に発信が行われる。また、自動発信モードのオンの設定はサイドキ−（電話機本体を折り畳んだ状態で操作可能）で多色発光ダイオードを点灯させることにより行われる。
【０００４】
【発明が解決しようとする課題】
しかし、この公報開示の技術の場合、ダイオードの発光色と電話番号との関係が予め操作者に把握されていない場合、操作者は電話機本体の開動作を行う前に、ダイオードの発光色が目的とする相手先電話番号の色に設定されているか否かを確かめなければならないという欠点がある。
【０００５】
また、自動発信の設定は、まず電話機本体を開き、キ−操作部１３を操作して自動発信の対象となる相手先電話番号をメモリ２２に登録し、次いでサイドキ−１７を操作して多色発光ダイオード１６を発光させ、さらに相手先電話番号に多色発光ダイオード１６の任意の色を割り当てメモリ２２に登録するという自動発呼登録が必要であり（上記公報の段落００４３参照）、操作が煩雑という欠点がある。
【０００６】
特にキ−操作に不慣れな操作者、例えば高齢者等にとってこれらの確認および操作は負担となる。
【０００７】
そこで本発明は、自動発信の対象となる電話番号の確認が容易でかつ自動発信の設定が容易な携帯端末およびその発信方法を提供することにある。
【０００８】
【課題を解決するための手段】
前記課題を解決するため、本発明による携帯端末は、折り畳み式の携帯端末であって、１個または複数の電話番号が記憶される記憶手段と、前記携帯端末を閉じた状態で前記記憶手段に記憶された電話番号から所定の電話番号を選択する電話番号選択手段と、前記携帯端末を閉じた状態で前記電話番号選択手段で選択された電話番号を表示する電話番号表示手段と、前記携帯端末を閉じた状態で自動発信するモードのオンまたはオフを設定する自動発信設定手段と、前記携帯端末の開閉を検出する開閉検出手段と、前記開閉検出手段により前記携帯端末の開状態が検出されたとき前記電話番号表示手段で選択された電話番号に自動発信し閉状態が検出されたとき通信終了の制御を行う制御手段とを含むことを特徴とする。
【０００９】
又、本発明による発信方法は、１個または複数の電話番号が記憶される記憶手段と、前記携帯端末を閉じた状態で前記記憶手段に記憶された電話番号から所定の電話番号を選択する電話番号選択手段と、前記携帯端末を閉じた状態で前記電話番号選択手段で選択された電話番号を表示する電話番号表示手段と、前記携帯端末を閉じた状態で自動発信するモードのオンまたはオフを設定する自動発信設定手段と、前記携帯端末の開閉を検出する開閉検出手段と、前記開閉検出手段により前記携帯端末の開状態が検出されたとき前記電話番号表示手段で選択された電話番号に自動発信し閉状態が検出されたとき通信終了の制御を行う制御手段とを含む折り畳み式の携帯端末の発信方法であって、前記携帯端末の開状態を検出する開状態検出ステップと、開状態が検出された場合に通信可能状態を確立する通信可能状態確立ステップと、前記携帯端末の閉状態を検出する閉状態検出ステップと、閉状態が検出された場合に通信終了の制御を行なう通信終了制御ステップとを含むことを特徴とする。
【００１０】
本発明によれば、上記構成により自動発信の対象となる電話番号の確認が容易でかつ自動発信の設定が容易となる。
【００１１】
【発明の実施の形態】
以下、本発明の実施の形態について添付図面を参照しながら説明する。携帯電話には、例えばストレ−ト型、フリップ型、折り畳み型と一般に称される形状のものが存在する。ストレ−ト型は前面にスピ−カ、マイクロフォン、各種キ−等を配置したものである。フリップ型はストレ−ト型と同様に前面にスピ−カ、マイクロフォン、各種キ−等を配置し、さらにキ−操作部を覆う開閉カバ−を設けたものである。そして、発信時や着信時にはこのカバ−を開く。一方、折り畳み型は折り畳んで携帯し、発信時や着信時に開きストレ−ト型と同様の状態で使用するものである。
【００１２】
まず、本発明の第１の実施の形態について説明する。第１の実施の形態は折り畳み携帯電話に関するものである。図１は本発明に係る携帯電話の第１の実施の形態の構成図である。同図を参照すると、折り畳み携帯電話は１００と、制御ＣＰＵ(Central Processing Unit) １０１と、折り畳み開閉検出回路１０２と、記憶装置１０３と、外部操作部１０４と、液晶表示装置１０５と、主操作部１０６と、スピーカ１０７と、マイク１０８と、アンテナ１０９と、背面液晶表示装置１１０とを含んで構成されている。
【００１３】
無線部１００はアンテナ１０９を通じて図示しない基地局との間で通信可能状態を確立する。制御ＣＰＵ１０１は折り畳み開閉検出回路１０２からの信号を受け、無線部１００に対し発信の為の制御を行う。折り畳み開閉検出回路１０２は携帯電話が開状態かあるいは閉状態かを検出する。記憶装置１０３には呼び出し先の電話番号が１個あるいは複数個記憶される。
【００１４】
外部操作部１０４は、携帯電話を閉じ主操作部１０６の使用が不可となった場合にこれに代わる操作部で、携帯電話を閉じた時に外部から操作が可能な場所に設けられている。例えば、携帯電話の側面、正面、背面等、携帯電話を閉じた状態で外部から視認が可能な場所に設けられている。また、外部操作部１０４はキ−、ボタン、スライドスイッチ、回転式ダイヤル等任意の形態のスイッチで構成することが可能である。
【００１５】
液晶表示装置１０５は主表示装置で、携帯電話を開いたとき露出し外部から視認が可能となり、閉じたとき携帯電話の内側に隠れ外部から視認が不可となるよう形成される。
【００１６】
一方、主操作部１０６は数字キーを含むキー操作部で、これも液晶表示装置１０５と同様に携帯電話を開いたとき露出し外部から操作が可能となり、閉じたとき携帯電話の内側に隠れ外部から操作が不可となるよう形成される。
【００１７】
すなわち、液晶表示装置１０５を含む第１筐体と主操作部１０６を含む第２筐体とは折り畳み自在に連結されており、携帯電話を閉じたとき液晶表示装置１０５と主操作部１０６とが対面するよう構成されている。
【００１８】
スピーカ１０７は受話器であり、例えば液晶表示装置１０５と同一面の上部に設けられる。一方、マイク１０８は送話器であり、例えば主操作部１０６と同一面の下部に設けられる。ただし、スピーカ１０７およびマイク１０８の位置はここに限定されるものではなく、通話に支障をきたさない箇所であれば任意の箇所に設けることが可能である。アンテナ１０９は電波送受信用の空中線である。
【００１９】
背面液晶表示装置１１０は携帯電話を閉じ液晶表示装置１０５が携帯電話の内側に隠れた場合にこれに代わる表示装置で、携帯電話を閉じた時に外部から直視可能な場所に設けられている。一例として、本実施形態では第１筐体の背面（液晶表示装置１０５が設けられている面の裏面）に設けられる。しかし、この場所に限定されるものではなく、携帯電話を閉じた時に外部から直視可能な場所であれば任意の場所に設けることが可能である。また、本実施形態では一例として液晶で構成されているが、発光ダイオード等の発光素子で構成することも可能である。
【００２０】
制御ＣＰＵ１０１は、数字キ−を含む主操作部１０６より入力された呼び出し先の電話番号を１個または複数個記憶装置１０３に記憶させる。使用者は主操作部１０６から直接電話番号を入力して発信する操作の他、記憶装置１０３から所定の電話番号を読み出して発信する操作が可能である。さらに、本発明ではこの記憶装置１０３に記憶された電話番号を後述する自動発信にも利用する。これにより、前述の公報開示の技術に見られるような自動発信用に電話番号を登録しておくという手間を省くことができる。
【００２１】
次に、外部操作部１０４について説明する。外部操作部１０４は前述したように携帯電話を閉じた状態で操作することが可能である。外部操作部１０４は折り畳み携帯電話を閉じた状態で、開いたときに自動発信するモードのオン／オフの設定を可能とするものである。もちろん、折り畳み携帯電話を開いた状態でオン／オフの設定を行うよう構成することも可能である。
【００２２】
すなわち、外部操作部１０４を操作して自動発信モードをオンに設定すると、携帯電話を開いたとき自動発信し、閉じると通信終了となる。一方、操作部１０４を操作して自動発信モードをオフに設定すると、携帯電話を開いても自動発信しない。なお、自動発信する電話番号は記憶装置１０３に記憶された電話番号のうちの選択された１つの番号である。すなわち、本発明では外部操作部１０４を操作して自動発信モードをオンに設定し、かつ携帯電話を開くという操作のみで自動発信することができ、公報開示の技術に示されるように自動発信用に電話番号を登録するという操作は不要である。
【００２３】
一方、自動発信する電話番号の選択も外部操作部１０４により行われる。すなわち、外部操作部１０４はモードのオン／オフ設定用スイッチ１０４ａと電話番号選択用スイッチ１０４ｂ（いずれも不図示）とから構成される。
【００２４】
背面液晶表示装置１１０には選択された（すなわち、記憶装置１０３から読み出された）電話番号が表示される。従って、この電話番号を携帯電話を閉じた状態で背面液晶表示装置１１０により確認することが可能である。また、背面液晶表示装置１１０には電話番号という一般の人が認識可能な態様で表示される。従って、公報開示の技術に示されるようにダイオードの発光色と目的とする相手先電話番号との関係を確かめる必要はない。
【００２５】
なお、この電話番号の表示は常時行うことが可能であるが、携帯電話を閉じた状態でのみ表示させることも可能である。さらに、携帯電話を閉じた状態でかつ自動発信モードをオンに設定した場合のみ表示させることも可能である。
【００２６】
次に、第１の実施の形態の動作について説明する。図２および図３は第１の実施の形態の動作を示すフロ−チャ−トである。動作説明に入る前に前提条件として、（１）記憶装置１０３には少なくとも１個の呼び出し先の電話番号が記憶されており、（２）外部操作部１０４により携帯電話を開いたときに自動発信するモードがオンに設定されており、（３）外部操作部１０４により自動発信の対象となる相手先電話番号が選択されているものとする。
【００２７】
まず、折り畳み携帯電話を閉じた状態から開いた状態に変化させることにより、折り畳み開閉検出回路１０２が開いたことを検出し、制御ＣＰＵ１０１に信号を送出する（Ｓ１にてＹの場合）。
【００２８】
次に、制御ＣＰＵ１０１は、折り畳み開閉検出回路１０２からの信号を受け、無線部１００に対し、発信の為の制御を行う（Ｓ２）。
【００２９】
次に、無線部１００は、アンテナ１０９を通じて図示しない基地局との間で通信可能状態を確立する。これにより、マイク１０７とスピーカ１０８を使用して通話可能となる（Ｓ３）。
【００３０】
次に、通話を開始する（Ｓ４）。そして、通話が終了すると（Ｓ５にてＹの場合）、折り畳み携帯電話を閉じることにより、開閉検出回路１０２が閉じたを検出し（Ｓ６にてＹの場合）、制御ＣＰＵ１０１へ信号を送出する。
【００３１】
制御ＣＰＵ１０１は、折り畳み開閉検出回路１０２からの信号を受け、無線部１００に対し、通信終了の為の制御を行う（Ｓ７）。
【００３２】
なお、ステップＳ１にて開状態を検出しない場合は（Ｓ１にてＮの場合）、開状態になるまで待機し、ステップＳ５にて通話が終了しない場合は（Ｓ５にてＮの場合）、通話が終了するまで待機し、ステップＳ６にて閉状態を検出しない場合は（Ｓ６にてＮの場合）、閉状態を検出するまで待機する。
【００３３】
次に、第２の実施の形態について説明する。第１の実施の形態が折り畳み携帯電話に関するものであったのに対し、第２の実施の形態はフリップ携帯電話に関するものである。図４は本発明に係る携帯電話の第２の実施の形態の構成図である。同図を参照すると、フリップ携帯電話は無線部１００と、制御ＣＰＵ(Central Processing Unit) １０１と、フリップ開閉検出回路１１２と、記憶装置１０３と、外部操作部１０４と、液晶表示装置１０５と、主操作部１０６と、スピーカ１０７と、マイク１０８と、アンテナ１０９と、背面液晶表示装置１１０とを含んで構成されている。
【００３４】
すなわち、第２の実施の形態は第１の実施の形態における折り畳み開閉検出回路１０２をフリップ開閉検出回路１１２に置換したものである。その他の構成部分は第１の実施の形態と同様なため、その説明を省略する。
【００３５】
フリップ開閉検出回路１１２は携帯電話のフリップが開状態かあるいは閉状態かを検出する。
【００３６】
次に、第２の実施の形態の動作について説明する。図２および図３を第２の実施の形態の動作説明にも用いる。動作説明に入る前に前提条件として、（１）記憶装置１０３には少なくとも１個の呼び出し先の電話番号が記憶されており、（２）外部操作部１０４によりフリップを開いたときに自動発信するモードがオンに設定されており、（３）外部操作部１０４により自動発信の対象となる相手先電話番号が選択されているものとする。
【００３７】
まず、携帯電話のフリップを閉じた状態から開いた状態に変化させることにより、フリップ開閉検出回路１１２が開いたことを検出し、制御ＣＰＵ１０１に信号を送出する（Ｓ１にてＹの場合）。
【００３８】
次に、制御ＣＰＵ１０１は、フリップ開閉検出回路１１２からの信号を受け、無線部１００に対し、発信の為の制御を行う（Ｓ２）。
【００３９】
次に、無線部１００は、アンテナ１０９を通じて図示しない基地局との間で通信可能状態を確立する。これにより、マイク１０７とスピーカ１０８を使用して通話可能となる（Ｓ３）。
【００４０】
次に、通話を開始する（Ｓ４）。そして、通話が終了すると（Ｓ５にてＹの場合）、携帯電話のフリップを閉じることにより、フリップ開閉検出回路１１２が閉じたを検出し（Ｓ６にてＹの場合）、制御ＣＰＵ１０１へ信号を送出する。
【００４１】
制御ＣＰＵ１０１は、フリップ開閉検出回路１１２からの信号を受け、無線部１００に対し、通信終了の為の制御を行う（Ｓ７）。
【００４２】
なお、ステップＳ１にて開状態を検出しない場合は（Ｓ１にてＮの場合）、開状態になるまで待機し、ステップＳ５にて通話が終了しない場合は（Ｓ５にてＮの場合）、通話が終了するまで待機し、ステップＳ６にて閉状態を検出しない場合は（Ｓ６にてＮの場合）、閉状態を検出するまで待機する。
【００４３】
【発明の効果】
本発明による携帯端末によれば、折り畳み式の携帯端末であって、その携帯端末は１個または複数の電話番号が記憶される記憶手段と、前記携帯端末を閉じた状態で前記記憶手段に記憶された電話番号から所定の電話番号を選択する電話番号選択手段と、前記携帯端末を閉じた状態で前記電話番号選択手段で選択された電話番号を表示する電話番号表示手段と、前記携帯端末の開閉を検出する開閉検出手段と、前記開閉検出手段により前記携帯端末の開状態が検出されたとき前記電話番号選択手段で選択された電話番号に自動発信する制御手段とを含むため、自動発信の対象となる電話番号の確認が容易でかつ自動発信の設定が容易となる。
【００４４】
従って、特にキ−操作に不慣れな操作者、例えば高齢者等にとって自動発信させる電話番号の確認と自動発信の設定に要する負担は軽減される。また、自動発信させる際に電話番号を入力するキ−を押す必要がないため、相手に気付かれずに、例えば密室での会話や危険な場所での会話を第三者に知らせることができる。又、本発明による発信方法も上記携帯端末と同様の効果を奏する。
【図面の簡単な説明】
【図１】本発明に係る携帯電話の第１の実施の形態の構成図である。
【図２】第１および第２の実施の形態の動作を示すフロ−チャ−トである。
【図３】第１および第２の実施の形態の動作を示すフロ−チャ−トである。
【図４】本発明に係る携帯電話の第２の実施の形態の構成図である。
【符号の説明】
１００  無線部
１０１  制御ＣＰＵ
１０２  折り畳み開閉検出回路
１０３  記憶装置
１０４  外部操作部
１０５  液晶表示装置
１０６  主操作部
１０７  スピーカ
１０８  マイク
１０９  アンテナ
１１０  背面液晶表示装置
１１２  フリップ開閉検出回路
【図１】
0003922084.tif 000002
【図２】
0003922084.tif 000003
【図３】
0003922084.tif 000004
【図４】
0003922084.tif 000005